(57)【要約】【課題】光学ズーム領域のみならず、電子ズーム領域においても無駄のない効率的な閃光装置の発光制御を行うことができる電子スチルカメラを実現する。【解決手段】閃光装置１１０に対して閃光装置制御手段１１１でその発光時の照射角の制御を行うときに、光学ズーム領域では、焦点距離情報に連動した閃光装置１１０の照射角制御を行い、電子ズーム領域では画角変倍率情報に連動した閃光装置１１０の照射角制御を行うようにする。これにより、無駄のない効率的な閃光装置の発光制御を行うことができる。【選択図】        図１
2004191595.tif 000002
【特許請求の範囲】
【請求項１】
光電変換機能を有する撮像素子と、発光時の照射角を任意に変更可能な閃光装置を備えた、あるいは取り付け可能に構成された電子スチルカメラにおいて、
ズームレンズと、ズームスイッチとを含み、
上記ズームスイッチの出力信号に応じて、焦点距離情報と画角変倍率情報とをともに出力するズーム情報生成手段と、
上記焦点距離情報に応じて、上記ズームレンズの焦点距離を制御するズームレンズ制御手段と、
上記画角変倍率情報に応じて、電子ズームを行う電子ズーム手段と、
上記焦点距離情報あるいは上記画角変倍率情報に応じて、上記閃光装置の照射角の制御を行う閃光装置制御手段とを有し、
上記閃光装置制御手段は、所定の焦点距離情報に達するまでの間は、上記閃光装置の照射角の制御に上記焦点距離情報を利用し、上記所定の焦点距離情報に達した後は、上記閃光装置の照射角の制御に上記画角変倍率情報を利用することを特徴とする電子スチルカメラ。
【請求項２】
上記所定の焦点距離情報が上記ズームレンズの光学望遠端の焦点距離情報であることを特徴とする請求項１に記載の電子スチルカメラ。
【請求項３】
上記所定の焦点距離情報が上記ズームレンズの光学広角端の焦点距離情報であることを特徴とする請求項１に記載の電子スチルカメラ。
【請求項４】
光電変換機能を有する撮像素子と、発光時の照射角を任意に変更可能な閃光装置を備えた、あるいは取り付け可能に構成された電子スチルカメラにおいて、
ズームレンズと、ズームスイッチとを含み、
上記ズームスイッチの出力信号に応じて、焦点距離情報と画角変倍率情報とをともに出力するズーム情報生成手段と、
上記焦点距離情報に応じて、上記ズームレンズの焦点距離を制御するズームレンズ制御手段と、
上記画角変倍率情報に応じて、電子ズームを行う電子ズーム手段と、
上記焦点距離情報あるいは上記画角変倍率情報に応じて、上記閃光装置の照射角の制御を行う閃光装置制御手段とを有し、
上記閃光装置制御手段は、所定の画角変倍率情報に達するまでの間は、上記閃光装置の照射角の制御に上記画角変倍率情報を利用し、上記所定の画角変倍率情報に達した後は、上記閃光装置の照射角の制御に上記焦点距離情報を利用することを特徴とする電子スチルカメラ。
【請求項５】
上記所定の画角変倍率情報が光学望遠端の画角と等倍率であることを特徴とする請求項４に記載の電子スチルカメラ。
【請求項６】
上記所定の画角変倍率情報が光学広角端の画角と等倍率であることを特徴とする請求項４に記載の電子スチルカメラ。
【発明の詳細な説明】
【０００１】
【発明の属する技術分野】
本発明は、ズームストロボの制御が可能な電子スチルカメラに関するものである。
【０００２】
【従来の技術】
発光時の照射角を可変させることが可能なストロボを用い、光学ズームの焦点距離情報に照射角制御を連動させることで、光学ズームにより焦点距離が変わった場合でも、最適な照射角で撮影画面外に照射されるストロボ光の無駄を抑えることが可能である。
【０００３】
一方で、ビデオカメラあるいは電子スチルカメラにおいて、たとえば、撮像素子から読み出す信号に対する補間・間引き処理を行ったり、映像信号を信号処理回路から映像信号データとしてメモリに書き出し、そのデータに対し補間・間引き処理を行ったりすることで光学望遠端あるいは光学広角端からさらに画面の拡大・縮小を行い、画面の画角変更を行う電子ズーム技術が知られている。
【０００４】
図４は、光学ズームとズームストロボとメモリ制御による拡大電子ズームを備えた従来の電子スチルカメラの構成例を示した図である。
【０００５】
４０１は結像レンズ、４０２はズームレンズ、４１２は絞り、４０３は光電変換機能を有した撮像素子、４０４は撮像素子４０３から出力された電気信号から映像信号を生成するとともに、後述するメモリ回路へ映像信号から生成されたデータの読み書きを行う信号処理回路、撮像素子４０３の出力信号から映像信号の生成および映像信号をメモリ回路へ読み書きする信号処理回路、４０７はズームレンズ制御回路、４１０は発光時の照射角を任意の値に設定可能な閃光装置、４１１は焦点距離情報に応じた照射角制御値を閃光装置に出力する閃光装置制御装置、４０９は信号処理回路４０４からの映像信号を保持しておくためのメモリ回路、４０８はメモリ回路４０９の映像信号に対し、画角変倍率に応じた拡大電子ズーム処理を行うメモリ制御回路である。
【０００６】
レンズ群を通過した入射光は撮像素子４０３で光電変換され、その出力信号から信号処理回路４０４は映像信号を生成する。さらに、信号処理回路４０４はメモリ回路４０９へ映像信号を出力する。ズームキー４０５の操作情報はシステム制御回路４０６に入力される。システム制御回路４０６では、ズームキー４０５からの操作情報に基づき、キーが押されたのか、望遠・広角どちらの方向に操作しているのか、また、どの程度の変化量が入力されたかを示すズーム情報を生成する。
【０００７】
システム制御回路４０６内における動作について図５を用いて説明する。
ステップ５０１には、前回までの焦点距離情報、ズームキー４０５のオン／オフ状態、操作方向、変化量の情報が入力される。
まず、ステップ５０１では、ズームキー４０５のオン／オフ状態を判別する。この結果、ズームキー４０５がオンであると判別された場合には、ステップ５０２へ進む。一方、ステップ５０１での判別の結果、オフであると判別された場合には、前回までの焦点距離情報を出力して、ステップ５０３へ進む。
【０００８】
続いて、ステップ５０２では、保存されている焦点距離情報に対し、ズームキー４０５の操作方向および変化量を加味し、焦点距離情報を更新および出力を行って、ステップ５０３へ進む。
【０００９】
続いて、ステップ５０３では、今回の焦点距離と光学望遠端とが等しいか否かを判別する。この判別の結果、等しいと判別された場合にはステップ５０４へと進む。一方、ステップ５０３での判別の結果、異なっていると判別された場合には、ステップ５０５へ進む。
【００１０】
続いて、ステップ５０４では、ズームキー４０５の操作方向および変化量から画角変倍率情報を生成し、ステップ５０６へと進み、さらに、ステップ５０５では、等倍の画角変倍率となる画角変倍率情報を生成し、ステップ５０６へ進む。
【００１１】
続いて、ステップ５０６では、焦点距離情報から閃光装置４１０の照射角を制御する照射角制御値を生成し、ステップ５０７へ進む。続いて、ステップ５０７では、照射角制御値を閃光装置４１０に出力し、さらに、ステップ５０８では、ズームキー４０５のオン／オフに関係なく、今回得られた焦点距離情報を保存し、ステップ５０１に戻る。
【００１２】
ズーム情報から、ズームレンズ４０２の焦点距離制御および閃光装置４１０の照射角制御の各々の制御値を得るための焦点距離情報を生成する。さらに、焦点距離情報から画角変倍率情報が生成され、メモリ制御回路４０８へ出力される。ズームレンズ制御回路４０７は、システム制御回路４０６から出力された焦点距離情報に基づき、ズームレンズ４０２の焦点距離が所定の値となるよう制御し、光学ズームを実現する。メモリ制御回路４０８は、システム制御回路４０６から出力された画角変倍率情報に基づき、メモリ回路４０９内の映像信号を所定の倍率で拡大し、電子ズーム処理を行う。また、閃光装置制御回路４１１は、焦点距離情報から生成された照射角制御値を閃光装置４１０へ出力し、発光時の照射角が所定の角度となるように制御する。
【００１３】
上記の構成の電子スチルカメラでは、ズームレンズ４０２の焦点距離が光学広角端にある状態からズームキーを望遠側へ操作すると、焦点距離が変化し、撮影画面の拡大が行われる。そのままさらに光学望遠端に達してもズームキーを望遠方向に操作すると、画角変倍率が変化し、拡大電子ズームによる撮影画面の拡大を行う。
【００１４】
【発明が解決しようとする課題】
ところが、従来の拡大電子ズーム機能を備えた電子スチルカメラでは、焦点距離情報にのみ連動して閃光装置４１０の照射角制御を行っていたため、図７に示すように、光学広角端から光学望遠端までのズーム領域（以下、光学ズーム領域という）の間は、ズーム位置の変化に対し、閃光装置４１０の照射角を適切に制御することで、表示画面の画角に対して無駄なく適切な発光を行っている。しかしながら、光学ズーム領域から画角変倍率を変化させる領域（以下、電子ズーム領域という）へ移行してからは、閃光装置４１０の照射角は光学望遠端のままで変化せず、電子ズームによる表示画面の画角よりも広い範囲に投光するため、無駄な発光を行っている。そのため、電子ズーム領域における発光では、閃光装置４１０の充電電圧が無駄に損失されるという問題がある。
【００１５】
本発明は上記の問題点にかんがみてなされたもので、光学ズーム領域のみならず、電子ズーム領域においても無駄のない効率的な閃光装置の発光制御を行うことができる電子スチルカメラを実現することを目的とする。
【００１６】
【課題を解決するための手段】
請求項１に記載の電子スチルカメラは、光電変換機能を有する撮像素子と、発光時の照射角を任意に変更可能な閃光装置を備えた、あるいは取り付け可能に構成された電子スチルカメラにおいて、ズームレンズと、ズームスイッチとを含み、上記ズームスイッチの出力信号に応じて、焦点距離情報と画角変倍率情報とをともに出力するズーム情報生成手段と、上記焦点距離情報に応じて、上記ズームレンズの焦点距離を制御するズームレンズ制御手段と、上記画角変倍率情報に応じて、電子ズームを行う電子ズーム手段と、上記焦点距離情報あるいは上記画角変倍率情報に応じて、上記閃光装置の照射角の制御を行う閃光装置制御手段とを有し、上記閃光装置制御手段は、所定の焦点距離情報に達するまでの間は、上記閃光装置の照射角の制御に上記焦点距離情報を利用し、上記所定の焦点距離情報に達した後は、上記閃光装置の照射角の制御に上記画角変倍率情報を利用することを特徴とする。
【００１７】
請求項２に記載の電子スチルカメラは、請求項１に記載の電子スチルカメラにおいて、上記所定の焦点距離情報が上記ズームレンズの光学望遠端の焦点距離情報であることを特徴とする。
【００１８】
請求項３に記載の電子スチルカメラは、請求項１に記載の電子スチルカメラにおいて、上記所定の焦点距離情報が上記ズームレンズの光学広角端の焦点距離情報であることを特徴とする。
【００１９】
請求項４に記載の電子スチルカメラは、光電変換機能を有する撮像素子と、発光時の照射角を任意に変更可能な閃光装置を備えた、あるいは取り付け可能に構成された電子スチルカメラにおいて、ズームレンズと、ズームスイッチとを含み、上記ズームスイッチの出力信号に応じて、焦点距離情報と画角変倍率情報とをともに出力するズーム情報生成手段と、上記焦点距離情報に応じて、上記ズームレンズの焦点距離を制御するズームレンズ制御手段と、上記画角変倍率情報に応じて、電子ズームを行う電子ズーム手段と、上記焦点距離情報あるいは上記画角変倍率情報に応じて、上記閃光装置の照射角の制御を行う閃光装置制御手段とを有し、上記閃光装置制御手段は、所定の画角変倍率情報に達するまでの間は、上記閃光装置の照射角の制御に上記画角変倍率情報を利用し、上記所定の画角変倍率情報に達した後は、上記閃光装置の照射角の制御に上記焦点距離情報を利用することを特徴とする。
【００２０】
請求項５に記載の電子スチルカメラは、請求項４に記載の電子スチルカメラにおいて、上記所定の画角変倍率情報が光学望遠端の画角と等倍率であることを特徴とする。
【００２１】
請求項６に記載の電子スチルカメラは、請求項４に記載の電子スチルカメラにおいて、上記所定の画角変倍率情報が光学広角端の画角と等倍率であることを特徴とする。
【００２２】
【発明の実施の形態】
次に、添付図面を参照しながら本発明の電子スチルカメラの実施形態について説明する。
【００２３】
図１は、本発明の実施形態における電子スチルカメラのブロック構成図である。
１０１は入射光を後述する撮像素子に結像するための結像レンズ、１０２はズームレンズ、１１３は絞り、１０３は入射光を光電変換する撮像素子、１０４は撮像素子１０３から出力された電気信号から映像信号を生成するとともに、後述するメモリ回路へ映像信号から生成されたデータの読み書きを行う信号処理回路、１０９は映像信号から生成されたデータを保持しておくメモリ回路、１０８はメモリ回路１０９内のデータに対し、後述するシステム制御回路から入力された画角変倍率情報に応じた拡大ズーム処理を行うメモリ制御回路、１０５はズームキー、１０６はズームキーの操作結果からキーのオン／オフ状態、ズーム方向、変化量といったズーム情報を生成し、ズーム情報から焦点距離情報および画角変倍率情報を生成するシステム制御回路、１１２はシステム制御回路から出力された焦点距離情報および画角変倍率情報を比較し、焦点距離情報あるいは画角変倍率情報から閃光装置の制御値を切り替える制御情報切替回路、１０７はズームレンズ１０２を駆動するズームレンズ制御回路、１１０は閃光装置、１１１は入力された照射角制御値に基づき閃光装置の照射角制御を行う閃光装置制御回路である。
【００２４】
（第１の実施形態）
以下に、本発明の第１の実施形態における電子スチルカメラを説明する。
ズームキー１０５が望遠方向へ操作された場合を例にして、本実施形態の動作の説明を行う。
【００２５】
光学ズーム領域の間、システム制御回路１０６から出力された焦点距離情報は、ズームレンズ制御回路１０７へ入力され、ズームレンズ１０２が所定の焦点距離となるように制御する。システム制御回路１０６内で生成された画角変倍率情報は、光学ズーム領域間では等倍の画角変倍率情報をメモリ制御回路１０８と制御情報切替回路１１２とへ出力される。そのため、メモリ制御回路１０８では光学ズームによる画角変化に対し等倍の画角変倍とする処理が行われ、メモリ回路１０９内のデータに対する拡大処理は行われない。焦点距離情報と画角変倍率情報は制御情報切替回路１１２へ入力される。制御情報切替回路１１２では、焦点距離情報が光学望遠端よりも広角側の値であるため、焦点距離情報から照射角制御値を生成する。よって閃光装置制御回路１１２は焦点距離情報由来の照射角制御値により、閃光装置１１０の制御を行う。すなわち、光学ズーム領域では閃光装置１１０の照射角は焦点距離情報に連動して制御される。
【００２６】
さらに、ズームキー１０５が光学望遠端よりも望遠方向に操作され、電子ズーム領域に達すると次の動作を行う。
システム制御回路１０６から出力される焦点距離情報は、電子ズーム領域では光学望遠端の値となるため、ズームレンズ１０２は光学望遠端で停止している。一方、画角変倍率情報は、等倍ではなくズーム情報のズーム変化量に対応した情報がシステム制御回路１０６から生成される。生成された画角変倍率情報は、メモリ制御回路１０８へ入力され、光学望遠端の映像信号が保持されているメモリ回路１０９に対し、画角変倍率情報に基づいた拡大処理を行う。その結果、表示画面が拡大された映像信号が信号処理回路１０４から出力される。
【００２７】
一方、制御情報切替回路１１２では、焦点距離情報が光学望遠端に等しいため、画角変倍率情報から照射角制御値を生成する。閃光装置制御回路１１１は画角変倍率情報由来の照射角制御値により、閃光装置１１０の制御を行う。すなわち、電子ズーム領域では閃光装置１１０の照射角は画角変倍率情報に連動して制御される。
【００２８】
前述のズーム情報、システム制御回路１０６、制御情報切替回路１１２の動作を図２に示すフローチャートを用いて説明する。
【００２９】
ステップ２０１には、前回までの焦点距離情報、ズームキー１０５のオン／オフ状態、操作方向、変化量の情報が入力される。
まず、ステップ２０１では、ズームキー１０５のオン／オフ状態を判別する。この結果、ズームキー１０５がオンであると判別された場合には、ステップ２０２へ進む。一方、ステップ２０１での判別の結果、オフであると判別された場合には、前回までの焦点距離情報を出力して、ステップ２０３へ進む。
【００３０】
続いて、ステップ２０２では、保存されている焦点距離情報に対し、ズームキー１０５の操作方向および変化量を加味し、焦点距離情報を更新および出力を行って、ステップ２０３へ進む。
【００３１】
続いて、ステップ２０３では、今回の焦点距離が光学望遠端とが等しいか否かを判別する。この判別の結果、等しいと判別された場合にはステップ２０４へと進む。一方、ステップ２０３での判別の結果、異なっていると判別された場合には、ステップ２０６へ進む。
【００３２】
続いて、ステップ２０４では、ズームキー１０５の操作方向および変化量から画角変倍率情報を生成し、ステップ２０５へと進み、さらに、ステップ２０５では、画角変倍率情報から閃光装置１１０の照射角を制御する制御値を生成し、ステップ２０８へ進む。
【００３３】
一方、ステップ２０６では、等倍の画角変倍率となる画角変倍率情報を生成し、ステップ２０７へ進み、さらに、ステップ２０７では、焦点距離情報から閃光装置１１０の照射角を制御する照射角制御値を生成し、ステップ２０８へ進む。
【００３４】
続いて、ステップ２０８では、照射角制御値を閃光装置１１０に出力し、ステップ２０９へ進む。続いて、ステップ２０９では、ズームキー１０５のオン／オフに関係なく、今回得られた焦点距離情報を保存し、その後、ステップ２０１に戻る。
【００３５】
本実施形態によれば、図６に示すように、光学ズーム領域間は焦点距離情報に連動した閃光装置１１０の照射角制御を行い、電子ズーム領域では画角変倍率情報に連動した閃光装置１１０の照射角制御を行うことで、光学ズーム・電子ズームを意識せずに常に表示されている画面の画角に最適な照射角制御を行うことができる。その結果、閃光装置１１０を用いた静止画撮影において、表示画面の画角に対して無駄の無い発光を行うことができるため、閃光装置１１０の充電電圧の損失を抑えることができる。
【００３６】
（第２の実施形態）
以下に、本発明の第２の実施形態における電子スチルカメラを説明する。
ズームキー１０５が望遠方向へ操作された場合を例にして、本実施形態の動作の説明を行う。
【００３７】
光学ズーム領域の間、システム制御回路１０６から出力された焦点距離情報は、ズームレンズ制御回路１０７へ入力され、ズームレンズ１０２が所定の焦点距離となるように制御する。システム制御回路１０６内で生成された画角変倍率情報は、光学ズーム領域間は等倍の画角変倍率情報をメモリ制御回路１０８と制御情報切替回路１１２とへ出力する。そのため、メモリ制御回路１０８では光学ズームによる画角変化に対し等倍の画角変倍とする処理が行われ、メモリ回路１０９内のデータに対する拡大処理は行われない。焦点距離情報と画角変倍率情報は制御情報切替回路１１２へ入力される。制御情報切替回路１１２では、画角変倍率情報が等倍の値であるため、焦点距離情報から照射角制御値を生成する。よって閃光装置制御回路１１２は焦点距離情報由来の照射角制御値により、閃光装置１１０の制御を行う。すなわち、光学ズーム領域では閃光装置１１０の照射角は焦点距離情報に連動して制御される。
【００３８】
さらに、ズームキー１０５が光学望遠端よりも望遠方向に操作され、電子ズーム領域に達すると次の動作を行う。
システム制御回路１０６から出力される焦点距離情報は、電子ズーム領域では光学望遠端の値となるため、ズームレンズ１０２は光学望遠端で停止している。一方、画角変倍率情報は、等倍ではなくズーム情報のズーム変化量に対応した情報がシステム制御回路１０６から出力される。生成された画角変倍率情報は、メモリ制御回路１０８へ入力され、光学望遠端の映像信号が保持されているメモリ回路１０９に対し、画角変倍率情報に基づいた拡大処理を行う。その結果、表示画面が拡大された映像信号が信号処理回路１０４から出力される。
【００３９】
一方、制御情報切替回路１１２では、画角変倍率情報が等倍より大きい値であるため、画角変倍率情報から照射角制御値を生成する。閃光装置制御回路１１１は画角変倍率情報由来の照射角制御値により、閃光装置１１０の制御を行う。すなわち、電子ズーム領域では閃光装置１１０の照射角は画角変倍率情報に連動して制御される。
【００４０】
前述のズーム情報、システム制御回路１０６、制御情報切替回路１１２の動作を図３に示すフローチャートを用いて説明する。
【００４１】
ステップ３０１には、前回までの焦点距離情報、ズームキー１０５のオン／オフ状態、操作方向、変化量の情報が入力される。
まず、ステップ３０１では、ズームキー１０５のオン／オフ状態を判別する。この結果、ズームキー１０５がオンであると判別された場合には、ステップ３０２へ進む。一方、ステップ３０１での判別の結果、オフであると判別された場合には、前回までの焦点距離情報を出力して、ステップ３０３へ進む。
【００４２】
続いて、ステップ３０２では、保存されている焦点距離情報に対し、ズームキー１０５の操作方向および変化量を加味し、焦点距離情報を更新および出力を行って、ステップ３０３へ進む。
【００４３】
続いて、ステップ３０３では、今回の焦点距離が光学望遠端とが等しいか否かを判別する。この判別の結果、等しいと判別された場合にはステップ３０４へと進む。一方、ステップ３０３での判別の結果、異なっていると判別された場合には、ステップ３０５へ進む。
【００４４】
続いて、ステップ３０４では、ズームキー１０５の操作方向および変化量から画角変倍率情報を生成し、ステップ３０６へ進む。一方、ステップ３０５では、等倍の画角変倍率となる画角変倍率情報を生成し、ステップ３０６へ進む。
【００４５】
続いて、ステップ３０６では、得られた画角変倍率情報が等倍に相当する値であるか否かを判別する。の判別の結果、等倍であると判別された場合には、ステップ３０８へ進む。一方、ステップ３０６の判別の結果、等倍でないと判別された場合には、ステップ３０７へ進む。
【００４６】
続いて、ステップ３０７では、画角変倍率情報から閃光装置１１０の照射角を制御する照射角制御値を生成し、ステップ３０９へ進む。一方、ステップ３０８では、焦点距離情報から閃光装置１１０の照射角を制御する照射角制御値を生成し、ステップ３０９へ進む。
【００４７】
続いて、ステップ３０９では、照射角制御値を閃光装置１１０に出力し、ステップ３１０へ進む。続いて、ステップ３１０では、ズームキー１０５のオン／オフに関係なく、今回得られた焦点距離情報を保存し、その後、ステップ３０１に戻る。
【００４８】
本実施形態によれば、図６に示すように、光学ズーム領域間は焦点距離情報に連動した閃光装置１１０の照射角制御を行い、電子ズーム領域では画角変倍率情報に連動した閃光装置１１０の照射角制御を行うことで、光学ズーム・電子ズームを意識せずに常に表示されている画面の画角に最適な照射角制御を行うことができる。その結果、閃光装置１１０を用いた静止画撮影において、表示画面の画角に対して無駄の無い発光を行うことができるため、閃光装置１１０の充電電圧の損失を抑えることができる。
【００４９】
【発明の効果】
本出願に係る第１の発明よれば、焦点距離が光学望遠端に等しいか否かを判断することにより光学ズーム領域か電子ズーム領域か否かの判断を行い、光学ズーム領域では、焦点距離情報に連動した閃光装置の照射角制御を行い、電子ズーム領域では画角変倍率情報に連動した閃光装置の照射角制御を行うようにすることで、光学ズーム・電子ズームを意識せずに常に表示されている画面の画角に最適な照射角制御を行うことができる。これにより、無駄のない効率的な閃光装置の発光制御を行うことができ、閃光装置を用いた静止画撮影において閃光装置の充電電圧の損失を抑えることができる。
【００５０】
本出願に係る第２の発明によれば、画角変倍率が等倍であるかどうかを判断することにより光学ズーム領域か電子ズーム領域か否かの判断を行い、光学ズーム領域では、焦点距離情報に連動した閃光装置の照射角制御を行い、電子ズーム領域では画角変倍率情報に連動した閃光装置の照射角制御を行うようにすることで、光学ズーム・電子ズームを意識せずに常に表示されている画面の画角に最適な照射角制御を行うことができる。これにより、無駄のない効率的な閃光装置の発光制御を行うことができ、閃光装置を用いた静止画撮影において閃光装置の充電電圧の損失を抑えることができる。
【図面の簡単な説明】
【図１】本発明の実施形態における電子スチルカメラのブロック構成図である。
【図２】本発明の第１の実施形態における電子スチルカメラのフローチャートである。
【図３】本発明の第２の実施形態における電子スチルカメラのフローチャートである。
【図４】従来例における電子スチルカメラのブロック構成図である。
【図５】従来例における電子スチルカメラのフローチャートである。
【図６】本発明の実施形態における電子スチルカメラの閃光装置の照射角変化を示す図である。
【図７】従来例における電子スチルカメラの閃光装置の照射角変化を示す図である。
【符号の説明】
１０１  結像レンズ
１０２  ズームレンズ
１０３  撮像素子
１０４  信号処理回路
１０５  ズームキー
１０６  システム制御回路
１０７  ズームレンズ制御回路（ドライバ）
１０８  メモリ制御回路
１０９  メモリ回路
１１０  閃光装置
１１１  閃光装置制御回路
１１２  制御情報切替回路
１１３  絞り
【図１】
2004191595.tif 000003
【図２】
2004191595.tif 000004
【図３】
2004191595.tif 000005
【図４】
2004191595.tif 000006
【図５】
2004191595.tif 000007
【図６】
2004191595.tif 000008
【図７】
2004191595.tif 000009